(57)【要約】      （修正有）【課題】使用者の肩が露出することを防止する。【解決手段】掛け布団が収容され使用者に掛けられて使用される掛け布団カバーであって、掛け布団５０が収容される本体部１０と、本体部１０のうちの首側縁部（使用者の首の側の縁部）に対して着脱可能に取り付けられ、毛布、タオルケット又はその他の布材から形成される肩掛け部２０とを有する。肩掛け部を本体部１０に対して着脱可能に取り付けるためのファスナは、本体部１０の一対の遮蔽部等によって遮蔽される。【選択図】図１
2014068959.tif 000002
【特許請求の範囲】
【請求項１】
掛け布団が収容され使用者に掛けられて使用される掛け布団カバーであって、
掛け布団が収容される本体部と、
前記本体部のうちの使用者の首の側の縁部である首側縁部又はその近傍に対して着脱可能に取り付けられ、毛布、タオルケット又はその他の布材から形成される肩掛け部と
を有する、掛け布団カバー。
【請求項２】
請求項１に記載の掛け布団カバーであって、
前記肩掛け部を前記本体部に対して着脱可能に取り付けるための部材が、前記本体部及び／又は肩掛け部によって遮蔽されるものである、
掛け布団カバー。
【発明の詳細な説明】
【技術分野】
【０００１】
この発明は、掛け布団を収容するカバーに関するものである。
【０００２】
従来の一般的な掛け布団カバーは、次の構造を有している。
すなわち、掛け布団カバーは、おもて布と裏布とを有する縦長の長方形状の袋状をしており、その内部には掛け布団収容部が形成されている。掛け布団は、その掛け布団収容部に収容される。
そして、上記の掛け布団カバー（掛け布団）は、一般的に、そのうちの首側縁部（使用者の首側の縁部）が使用者（就寝者）の首又はその近傍に位置づけられ、使用者の身体の大半に掛けられて使用される。
【０００３】
ところで、一般的に、掛け布団は、ひだ状にすることが困難（毛布等と比較して困難）であるため、上記従来の掛け布団カバーでは、次の不都合があることが判明した。
【０００４】
すなわち、親（大人）が子（子ども）に添い寝する場合等においては、授乳や腕枕等をするために、親（大人）の首の位置（布団の長さ方向における位置）と子（子ども）の首の位置とが一致しないことが多い。その場合、掛け布団カバー（掛け布団）から親の肩が露出してしまうことになり、親の肩が冷えてしまうことがある。
【０００５】
また、一人で就寝する等の一般の就寝形態の場合においても、掛け布団カバー（掛け布団）は、就寝当初においては、その首側縁部が使用者の首又はその近傍に位置づけられた状態であっても、就寝中に使用者の足元の方に移動していき、使用者の肩が露出して使用者の肩が冷えてしまうことがある。
【０００６】
なお、本発明に関連する先行技術として、特許文献１に開示されているものがある。
【先行技術文献】
【特許文献】
【０００７】
【特許文献１】特開２０１０−２５９７６０号公報
【発明の概要】
【発明が解決しようとする課題】
【０００８】
本発明は、各種の使用状態においても、使用者の肩が露出する可能性が低減される掛け布団カバーを提供することを課題とする。
【課題を解決するための手段】
【０００９】
この課題を解決するために、請求項１に係る発明は、掛け布団が収容され使用者に掛けられて使用される掛け布団カバーであって、掛け布団が収容される本体部と、前記本体部のうちの使用者の首の側の縁部である首側縁部又はその近傍に対して着脱可能に取り付けられ、毛布、タオルケット又はその他の布材から形成される肩掛け部とを有する、掛け布団カバーである。
【００１０】
「肩掛け部が本体部に対して着脱可能に取り付けられる」ための手段として、ファスナ（線ファスナ）のほか、ボタン，ホック（スナップ），面ファスナ等がある。
【００１１】
この発明の掛け布団カバーでは、本体部に対して肩掛け部が取り付けられており、肩掛け部（毛布、タオルケット又はその他の布材）は、一般的に、掛け布団（正確には、本体部に収容された掛け布団全体）よりも大きな可撓性を有し、ひだ状にしやすい。
このため、親子（大人と子ども）等、複数人が同時に使用する場合であって、その首の位置（掛け布団の長さ方向の位置）が異なる場合においても、それに応じて、肩掛け部のうちの各人に対応する部分においてひだ状にする度合いを変えることによって、すべての使用者の肩が露出することが回避され、各人の肩が冷えてしまうことが防止される。逆にいえば、各人の肩が露出することを防止しつつ、各人の肩が異なる位置（掛け布団の長さ方向の位置）に位置する状態で使用することができる。
また、一人で使用する場合においても、肩掛け部のうちの特に使用者の首の近傍を多目にひだ状にして使用することによって、就寝中に本体部（掛け布団）が使用者の足元の方に移動しても、肩掛け部のひだ状の度合いが小さくなることによって、引き続き肩掛け部が使用者の肩を覆い、使用者の肩が冷えることが防止される。
【００１２】
また、この発明の掛け布団カバーでは、肩掛け部が本体部に対して着脱可能に取り付けられているため、肩掛け部が不要の場合は本体部から取り外して使用したり、肩掛け部のみを洗濯することも可能である。
【００１３】
請求項２に係る発明は、請求項１に係る発明の掛け布団カバーであって、前記肩掛け部を前記本体部に対して着脱可能に取り付けるための部材が、前記本体部及び／又は肩掛け部によって遮蔽されるものである、掛け布団カバーである。
【００１４】
この発明の掛け布団カバーでは、請求項１に係る発明の掛け布団カバーの作用効果に加えて、次の作用効果が得られる。
すなわち、肩掛け部を本体部に対して着脱可能に取り付けるための部材に対して使用者が直接的に接触することが防止され、使用者に、当該接触によって不快感が生じることが防止される。
なお、その趣旨から、「肩掛け部を本体部に対して着脱可能に取り付けるための部材（取付部材）が遮蔽される」とは、本体部に対して肩掛け部が取り付けられている状態においては、取付部材のうち本体部の側及び肩掛け部の側の双方の部分が遮蔽されることを意味し、本体部に対して肩掛け部が取り付けられていない状態においては、取付部材のうち本体部の側の部分が遮蔽されることを意味するものとする。
【図面の簡単な説明】
【００１５】
【図１】本発明の一実施例の掛け布団カバーを示す斜視図である。肩掛け部が本体部に取り付けられた状態を示す。
【図２】本発明の一実施例の掛け布団カバーを示す斜視図（一部仮想的に破断）である。肩掛け部が本体部から取り外された状態を示す。
【図３】本発明の一実施例の掛け布団カバーを示す分解斜視図である。
【図４】本発明の一実施例の掛け布団カバーを示す斜視図である。肩掛け部が本体部の側に折り畳まれた状態を示す。
【図５】本発明の一実施例の掛け布団カバーの一部を示す断面図である。
【図６】本発明の一実施例の掛け布団カバーの他の一部を示す断面図である。（ａ）は肩掛け部が本体部から取り外された状態を示し、（ｂ）は肩掛け部が本体部に取り付けられた状態を示す。
【図７】本発明の一実施例の掛け布団カバーの各使用状態を示す斜視図である。
【発明を実施するための形態】
【００１６】
次に、本発明の一実施例の掛け布団カバーについて、図面に基づいて説明する。
図１〜図３に示すように、この掛け布団カバーは、本体部１０，肩掛け部２０を有している。肩掛け部２０は、ファスナ３０（線ファスナ）を介して本体部１０に着脱可能に取り付けられている。
【００１７】
本体部１０は、おもて布１１及び裏布１２を有し、両者の縁部同士が結合されて、縦長の長方形状の袋状に形成されている。こうして、本体部１０の内部には掛け布団収容部（符号省略）が形成されている。
【００１８】
裏布１２は、起毛布地によって形成されていてもよい。おもて布１１も、起毛布地によって形成されていてもよい。一方、おもて布１１も裏布１２も、起毛されていない布地によって形成されていてもよい。また、裏布１２のみが起毛布地によって形成されているとともに、本体部１０は表裏反転した状態で使用できるように形成されていてもよい。
おもて布１１の中央部には開口部が形成されていてもよい。また、そのうち、その開口部が網状布によって塞がれていてもよい。
【００１９】
本体部１０は、ともに一対の短辺部及び長辺部（いずれも符号省略）を有している。
一対の短辺部には、足元側縁部及び首側縁部（いずれも符号省略）がある。足元側縁部においては、おもて布１１と裏布１２とが直接的に縫い付けられている。
左右一対の長辺部のうちの一方においても、おもて布１１と裏布１２とが直接的に縫い付けられている。
いずれについても、詳細に述べると、おもて布１１及び裏布１２は、ともにその縁部近傍において内側（本体部１０の内側）に折り返され、両者は当該縁部近傍において相互に縫い付けられている。このことは以下同様である。
【００２０】
左右一対の長辺部のうちの他方には、ファスナ１５（線ファスナ）によって開閉可能な入出部１７が形成されている。
すなわち、図３に示すように、おもて布１１及び裏布１２のうちの本体部１０の当該長辺部の大半部分を形成する各部分に対して、ファスナ１５を形成する各ファスナ半部１６ａ，１６ｂ（各テープ）が縫い付けられている。おもて布１１と裏布１２とは、ファスナ１５を介して結合されているといえる。
詳細に述べると、図５に示すように、おもて布１１及び裏布１２は、ともに、その縁部近傍において内側（本体部１０の内側）に折り返され、その２重にされた部分とファスナ１５の各ファスナ半部１６ａ，１６ｂとが縫い付けられている。
図１〜図３に示すように、本体部１０の当該長辺部の残りの部分（両端部）においては、おもて布１１と裏布１２とは直接的に縫い付けられている。
通常は、ファスナ１５は閉じられて入出部１７は閉塞状態とされている。ファスナ１５が開かれることによって、入出部１７は開口状態とされ、掛け布団収容部に対して掛け布団５０が出し入れされる。
【００２１】
本体部１０の首側縁部においては、おもて布１１と裏布１２とは、ファスナ３０（一対をなす第１ファスナ半部３１，第２ファスナ半部３２を有する）の第１ファスナ半部３１を挟んで縫い付けられている。
詳細に述べると、図６に示すように、おもて布１１及び裏布１２は、ともに、その縁部近傍において内側（本体部１０の内側）に折り返され、おもて布１１及び裏布１２のともに２重にされた部分の間にファスナ３０の第１ファスナ半部３１が挟まれた状態で、その第１ファスナ半部３１（テープ３４）とともに両者が縫い付けられている。
【００２２】
図１〜図３に戻り、肩掛け部２０は、毛布又はタオルケットによって形成されている。
肩掛け部２０も長方形状をしている。肩掛け部２０の幅（掛け布団カバーの幅方向における長さ）は、本体部１０の幅とほぼ同一である。
肩掛け部２０は、布地が半分に折り畳まれて（すなわち２重の状態にされて）おもて布部２１及び裏布部２２が形成され、その折り畳み線に該当する縁部以外の３辺において、おもて布部２１と裏布部２２とが結合されて、横長の長方形状に形成されている。
【００２３】
肩掛け部２０のうち、折り畳み線に該当する縁部は、首側縁部（符号省略）である。
首側縁部と垂直な一対の左右の縁部において、おもて布部２１と裏布部２２とは直接的に縫い付けられている。
首側縁部とは反対側の縁部（取付縁部（符号省略）ということとする）においては、おもて布部２１と裏布部２２とは、ファスナ３０の第２ファスナ半部３２を挟んで縫い付けられている。
詳細に述べると、図６に示すように、おもて布部２１及び裏布部２２は、ともに、その縁部近傍において内側（肩掛け部２０の内側）に折り返され、おもて布部２１及び裏布部２２のともに２重にされた部分の間にファスナ３０の第２ファスナ半部３２が挟まれた状態で、その第２ファスナ半部３２（テープ３４）とともに両者が縫い付けられている。
【００２４】
こうして、肩掛け部２０（取付縁部）は、ファスナ３０によって、本体部１０（首側縁部）に対して着脱可能に取り付けられている。
すなわち、図６（ｂ）に示すように、両ファスナ半部３１，３２のエレメント（務歯）３５同士が噛み合わされて、両ファスナ半部３１，３２が結合されることによって、本体部１０と肩掛け部２０とが結合される。
【００２５】
さらに詳細に述べると、次のとおりである。
図６に示すように、本体部１０のおもて布１１及び裏布１２のともに２重にされた部分のうちの縫い代によって、一対の遮蔽部１８が形成されている。
すなわち、本体部１０のおもて布１１及び裏布１２については、肩掛け部２０のおもて布部２１及び裏布部２２よりも、２重にされる部分が大きくされ（掛け布団カバーの長さ方向に長くされ）、第１ファスナ半部３１は、奥側に、すなわち、当該２重にされた部分の先端部（折り返し部）よりも掛け布団カバーの内部の側に取り付けられている。
こうして、おもて布１１及び裏布１２の縫い代が大きくされて（掛け布団カバーの長さ方向に長くされて）、一対の遮蔽部１８が形成されている。
【００２６】
そして、図６（ａ）に示すように、まず、両ファスナ半部３１，３２が結合されていない状態において、第１ファスナ半部３１は露出せず、遮蔽されている。
すなわち、一対の遮蔽部１８によって、第１ファスナ半部３１のエレメント３５は遮蔽されている（余裕をもって遮蔽されている）。すなわち、エレメント３５は、一対の遮蔽部１８によって挟まれているとともに、両遮蔽部１８の先端部（折り返し部）よりも縫い目（符号省略）の側に位置している。それとともに、第１ファスナ半部３１のテープ３４の一部（エレメント３５側の部分）は両遮蔽部１８によって遮蔽され、その残部（エレメント３５とは反対側の部分）は本体部１０の内部（掛け布団収容部）に存在している。
【００２７】
また、図６（ｂ）に示すように、両ファスナ半部３１，３２が結合された状態において、両ファスナ半部３１，３２が露出せず、遮蔽されている。
すなわち、一対の遮蔽部１８は、肩掛け部２０のおもて布部２１及び裏布部２２に対して外側から重なる位置にまで及んでいる。すなわち、一対の遮蔽部１８の先端部（折り返し部）は、肩掛け部２０のおもて布部２１及び裏布部２２の外側に位置するとともに、肩掛け部２０のおもて布部２１及び裏布部２２の先端部（折り返し部）よりも、肩掛け部２０の首側縁部の側に位置している。こうして、両ファスナ半部３１，３２のエレメント３５が遮蔽されている。
なお、図６（ｂ）においては、第２ファスナ半部３２のエレメント３５のすべての部分も一対の遮蔽部１８によって遮蔽されているが、それに限らず、次の態様等であってもよい。すなわち、第１ファスナ半部３１の場合と同様に、第２ファスナ半部３２も奥側（肩掛け部２０の内部の側）に取り付けられ、第２ファスナ半部３２のエレメント３５の一部は、肩掛け部２０のおもて布部２１及び裏布部２２によってのみ遮蔽されていてもよい。
【００２８】
上述のようにして両ファスナ半部３１，３１のエレメント３５が遮蔽されているとともに、図６（ａ）に基づいて前述したように、第１ファスナ半部３１のテープ３４の一部は遮蔽部１８によって遮蔽され、その残部は本体部１０の内部（掛け布団収容部）に存在している。
また、第２ファスナ半部３２のテープ３４の一部（エレメント３５の側の部分）は、肩掛け部２０のおもて布部２１及び裏布部２２の縫い代（符号省略）並びに遮蔽部１８によって遮蔽され、その残部（エレメント３５とは反対側の部分）は肩掛け部２０の内部に存在している。
【００２９】
なお、ファスナ３０（各ファスナ半部３１，３２）において、テープ３４は合成繊維の布材等によって形成され、エレメント３５は合成樹脂，金属等によって形成されている。
【００３０】
前述したように、肩掛け部２０は、２枚重ね状の毛布又はタオルケットによって形成されており、掛け布団５０（正確には、掛け布団５０が収容された状態の本体部１０）と比較して、より大きな可撓性を有し、より円滑にひだ状にされる。
【００３１】
次に、この掛け布団カバーの使用方法及び作用効果について、図７に基づいて説明する。
まず、図７（ａ）に基づいて、親子等、大人と子どもが同時に使用する場合について説明する。大人が子どもに添い寝する等である。なお、図７（ａ）には子どもの数が１人の場合が図示されているが、子どもの数は複数人でもよい。  
大人（親）Ｕ１と子ども（子）Ｕ２は、大人Ｕ１の首の位置が子どもＵ２の首の位置よりも本体部１０から離隔した位置になるようにして就寝する。親Ｕ１が子Ｕ２に対して授乳したり、大人Ｕ１が子どもＵ２に対して腕枕等をするためである。
【００３２】
そして、本体部１０（掛け布団５０が収容されている）の首側縁部を子どもＵ２の首又はその近傍に位置づけ、肩掛け部２０のうちの子どもＵ２に対応する部分をより多目にひだ状にする。こうして、本体部１０が子どもＵ２の肩を覆うようにする。
一方、大人Ｕ１の肩は本体部１０に覆われてはいないが、肩掛け部２０のうち大人Ｕ１に対応する部分をほぼ平面状したり、少な目にひだ状にしたりする。すなわち、子どもＵ２に対応する部分よりも、ひだ状にする度合いを小さくする。こうして、大人Ｕ１の肩も肩掛け部２０によって覆われ、大人Ｕ１の肩が冷えることが防止される。
このようにして、この掛け布団カバーでは、子どもＵ２のみならず大人Ｕ１の肩も覆いつつ、大人Ｕ１が子どもＵ２によりも本体部１０から離隔して就寝することが可能となる。こうして、大人Ｕ１（親）の肩が冷えることなく、円滑に、親Ｕ１が子Ｕ２に対して授乳したり、大人Ｕ１が子どもＵ２に対して腕枕等を行うことが可能となる。
【００３３】
次に、図７（ｂ）に基づいて、１人が使用する場合について説明する。
本体部１０（掛け布団５０が収容されている）の首側縁部を使用者Ｕの首又はその近傍に位置づけ、肩掛け部２０のうち、特に使用者Ｕの首に対応する部分をより多目にひだ状にし、それ以外の部分についてはひだ状にする度合いを小さくする。
こうすることによって、就寝中に本体部１０（掛け布団５０）が使用者Ｕの足元の方に移動した場合であっても、肩掛け部２０のひだ状の度合いが小さくなることによって、引き続き肩掛け部２０が使用者Ｕの肩を覆い、使用者Ｕの肩が冷えることが防止される。
また、肩掛け部２０のうち、特に使用者Ｕの首に対応する部分以外の部分がひだ状にする度合いを小さくされることによって、その部分がより大きな摩擦力で就寝面（敷き布団等）と接するために、本体部１０が使用者Ｕの足元の方に移動した場合に、肩掛け部２０も同時に足元の方に移動することが回避され、上述の効果がより確実に得られる。
【００３４】
また、図４に示すように、この掛け布団カバーについては、使用していない場合等においては、肩掛け部２０を本体部１０の側に折り返しておくことも可能である。
また、図３に示すように、この掛け布団カバーでは、本体部１０と肩掛け部２０とが分離可能であるため、肩掛け部２０が不要の場合に肩掛け部２０を分離して使用したり、本体部１０から肩掛け部２０を分離して肩掛け部２０のみを洗濯することも可能である。
【００３５】
また、図６に基づいて前述したように、この掛け布団カバーにおいては、本体部１０と肩掛け部２０とを結合するファスナ３０が、肩掛け部２０が本体部１０に対して取り付けられた状態（取り付け状態）でも、本体部１０から取り外された状態（取り外し状態）でも、遮蔽部１８等によって遮蔽されている。
すなわち、取り外し状態（図６（ａ））においては、第１ファスナ半部３１は遮蔽部１８等によって遮蔽されているとともに、取り付け状態（図６（ｂ）においては、第１ファスナ半部３１及び第２ファスナ半部３２とも、遮蔽部１８等によって遮蔽されている。
このため、取り付け状態及び取り外し状態のいずれの使用であっても、使用者が使用中（就寝中）において、直接的にファスナ３０（特にエレメント３５）に接触することが防止され、直接的にファスナ３０（特にエレメント３５）に接触することによって不快感が生じることが防止される。
【００３６】
なお、上記のものはあくまで本発明の一実施例にすぎず、当業者の知識に基づいて種々の変更を加えた態様で本発明を実施できることはもちろんである。
【００３７】
例えば、上記の実施例では、肩掛け部２０は、２重（２枚状）にされた毛布やタオルケットによって形成されているが、１枚状又は３重（３枚状）以上の毛布やタオルケットによって形成されてもよい。
また、肩掛け部２０は、毛布，タオルケット以外の布材によって形成されていてもよい。
【００３８】
また、上記の実施例においては、遮蔽部（１８）は本体部１０に形成されているが、それに限らず、肩掛け部２０に形成されていてもよい。その場合は、本体部１０に肩掛け部２０が取り付けられた状態において、その遮蔽部（１８）は、本体部１０おもて布１１及び裏布１２に対して外側から重なる位置にまで及ぶものとする。
【符号の説明】
【００３９】
１０  本体部
１８  遮蔽部
２０  肩掛け部
３０  ファスナ
【図１】
2014068959.tif 000003
【図２】
2014068959.tif 000004
【図３】
2014068959.tif 000005
【図４】
2014068959.tif 000006
【図５】
2014068959.tif 000007
【図６】
2014068959.tif 000008
【図７】
2014068959.tif 000009